(57)【要約】【課題】  アジャスターボルト用ナットを取り付ける床パンに備えるボスを、厚みを薄くし且つ上下に均一な厚みを備える単純な形状としたままで、接着剤を注入しても接着剤が非接着部位に流れ落ちず強固に接着できる床パンアジャスターボルト用ナット取付構造を提供する。【解決手段】  上下方向に長い筒状をしたナット本体部１の上部にボス嵌合部２を有し且つ該ボス嵌合部２の下部に外方に膨出した膨出部３を設けることでアジャスターボルト用ナット４を形成する。ボス嵌合部２ａよりも上下方向に長いナット収容空間５１を内部に有し且つ前記ボス嵌合部２が嵌合されるボス５を床パンＡの裏面に立設し、該ボス５の先端面と膨出部３の上面とを当接し且つ該ボス５にボス嵌合部２を嵌合した状態で接着剤６にて固定する。前記ボス嵌合部２の上部から外方に向かって立設し且つ前記膨出部３とボス５の内周面とボス嵌合部２とで接着剤充填空間７を形成するヒレ部８を設けた。【選択図】        図１
2009263990.tif 000002
【特許請求の範囲】
【請求項１】
上下方向に長い筒状をしたナット本体部の上部にボス嵌合部を有し且つ該ボス嵌合部の下部に外方に膨出した膨出部を設けることでアジャスターボルト用ナットを形成し、前記ボス嵌合部よりも上下方向に長いナット収容空間を内部に有し且つ前記ボス嵌合部が嵌合されるボスを床パンの裏面に立設し、該ボスの先端面と膨出部の上面とを当接し且つ該ボスにボス嵌合部を嵌合した状態で接着剤にて固定してなる床パンアジャスターボルト用ナット取付構造であって、前記ボス嵌合部の上部から外方に向かって立設し且つ前記膨出部とボスの内周面とボス嵌合部とで接着剤充填空間を形成するヒレ部を設けて成ることを特徴とする床パンアジャスターボルト用ナット取付構造。
【発明の詳細な説明】
【技術分野】
【０００１】
本発明は、ユニットバスルーム等の床パンの裏面に設置して、該床パンを支持するアジャスターボルトのナットの取り付け構造に関するものである。
【背景技術】
【０００２】
従来から、浴室等の床パンを支持するアジャスターボルトを、該床パンの裏面に螺合して設置するためのナットの取付構造が知られている。（例えば、特許文献１参照）
例えば図５（ａ）（ｂ）に示すような従来の床パンアジャスターボルト用ナット取付構造は、浴室等の床パンＡの裏面にボス５ａを立設して、該ボス５ａの先端面の略中央には、ナットを設置するためのナット開口部５２が形成されており、該ナット開口部５２にアジャスターボルトに螺合するナット４ａを嵌入し、ボス５ａとナット４ａとを接着剤６によって固定していた。なお、９は床パンの底面の補強のためのリブである。
【０００３】
ところで、ボス５ａに設置されたナット４ａにアジャスターボルトを螺合して床パンＡを設置するのであるが、ナット４ａのボルト孔が穿設された面を床パンＡの裏面に当接して設置すると、アジャスターボルトによる高さ調整ができない（床パンＡを下降させることができない）ため、床パンＡの裏面と該ナット４ａとの間には調整代を設ける必要がある。従って図５に示すように、ボス５ａ内部に段部５３を形成して、該段部５３にナット４ａのボルト孔が穿設された面を当接することで、ナット４ａと床パンＡとの間に調整代Ｓとしての隙間を形成していた。
【０００４】
しかしながら、この段部５３を内部に備えるボス５ａを形成するにあたっては、例えば床パンＡをＦＲＰ（Fiber Reinforced Plastics）プレス成形等で成形すると、ボス５ａの段部５３を備える部位は肉厚が厚いため、該ボス５ａの段部５３を備える部位以外の部分と比べて硬化する時間が長く必要となってしまう。
【０００５】
一方、床パンの成形に要する時間を短縮するために、ボスの肉厚を薄くし且つ上下に均一な厚みを備える単純な形状としたままで、ナットと床パンの裏面との間に調整代を形成することができる構成が考えられた（例えば、特許文献２参照）。図６（ａ）（ｂ）に示すものは、ナット本体の上下方向の略中央にフランジ状の膨出部３ａを設けたナット４ｂを使用し、該膨出部３ａをボス５ｂ先端に当接することでナット４ｂの先端と床パンＡとの間に調整代Ｓを形成するものである。一般的に、床パンＡにナット４ｂを設置するにあたっては、床パンＡを表裏逆にして取り付け施工をして、ボス５ｂの内部に収容されたボス嵌合部２ａと該ボス５ｂの内壁とを接着するために、ボス５ｂの内壁とボス嵌合部２ａとの隙間に接着剤６を注入するのであるが、この場合、接着剤６が硬化する前に接着剤６が下方へ（即ちボス５ｂの基部の方向へ）流れ落ちてしまう。このため、該ボス５ｂとアジャスターボルト用ナット４ｂは十分な接着がなされず強固な接着ができないものとなっていた。
【特許文献１】特開２００６−２８９１４号公報
【特許文献２】特開平６−１２８９９３号公報
【発明の開示】
【発明が解決しようとする課題】
【０００６】
本発明は、上記従来の問題に鑑みてなされたものであり、その目的とするところは、アジャスターボルト用ナットを取り付ける床パンに備えるボスを、厚みを薄くし且つ上下に均一な厚みを備える単純な形状としたままで、接着剤を注入しても接着剤が非接着部位に流れ落ちず強固に接着できる床パンアジャスターボルト用ナット取付構造を提供することにある。
【課題を解決するための手段】
【０００７】
上記課題を解決するために請求項１に係る発明にあっては、上下方向に長い筒状をしたナット本体部１の上部にボス嵌合部２を有し且つ該ボス嵌合部２の下部に外方に膨出した膨出部３を設けることでアジャスターボルト用ナット４を形成し、前記ボス嵌合部２ａよりも上下方向に長いナット収容空間５１を内部に有し且つ前記ボス嵌合部２が嵌合されるボス５を床パンＡの裏面に立設し、該ボス５の先端面と膨出部３の上面とを当接し且つ該ボス５にボス嵌合部２を嵌合した状態で接着剤６にて固定してなる床パンアジャスターボルト用ナット取付構造であって、前記ボス嵌合部２の上部から外方に向かって立設し且つ前記膨出部３とボス５の内周面とボス嵌合部２とで接着剤充填空間７を形成するヒレ部８を設けて成ることを特徴とするものである。
【０００８】
このように構成したことで、従来の床パンＡにアジャスターボルト用ナットを設置するにあたって、床パンＡを表裏逆（即ちボス５の先端が上方となる状態）にして施工したとしても、ヒレ部８によって接着剤６が流れ落ちるのを防止して、接着剤充填空間７に接着剤６を充填することができるため、ボス５とアジャスターボルト用のナット４とを強固に接着することができる。
【発明の効果】
【０００９】
本発明によれば、床パンに設置されたボスを、厚みを薄くし且つ上下に均一な厚みを備える単純な形状としつつ、該ボスとアジャスターボルト用ナットとを強固に固着することができるので、床パンの生産効率を低下させずに、アジャスターボルト用ナットの取り付け強度を向上させることができる。即ち、アジャスターボルトを回動させて上下調整した場合であってもナットの固着が外れることが無く、さらに、床パンの支持強度自体も向上させることが可能となる。
【発明を実施するための最良の形態】
【００１０】
以下、本発明の一実施形態の浴室ユニットの床パンについて添付図面に基づいて説明する。
【００１１】
本実施形態は、ＦＲＰプレス成形で成形された浴室ユニットの床パンＡの底面の裏面にアジャスターボルトが螺合される樹脂性のナット４が固設されており、該ナット４にアジャスターボルトを螺合して複数個所に設置することで、浴室ユニットの床パンＡが支持されている。
【００１２】
このナット４は図２に示すように、上下方向に長い筒状をしたナット本体部１の上部に平面視六角形状のボス嵌合部２を備え、該ボス嵌合部２の下部には外方に膨出したフランジ状の膨出部３が形成されている。また、ボス嵌合部２の上部縁辺から外方に向かって形成されたヒレ部８を備えている。該ヒレ部８は、平面視六角形状のボス嵌合部２の上端の各辺から矩形状で薄いヒレ片８１が各々突設されており、少なくとも後述するボス５の内壁に当接する突出長さで形成される（本実施形態では、ボス５の内壁に当接する長さよりも長く突出している）。各ヒレ片８１間には切れ目Ｂが形成されており、該ヒレ片８１はボス嵌合部２との接続部位８２（即ちヒレ片８１の突出基部）で上下方向に屈曲自在に形成されている。該ヒレ片８１はナット本体部１に一体形成されている。さらに、ナット本体部１の前記ボス嵌合部２以外の部分（即ち膨出部３の基部を含めた部位以下の部分）は円筒状に形成されており、該ナット本体部１の平面視略中央に、アジャスターボルトを螺合するための雌ねじ部Ｃが上下方向の全長に亘って螺刻されている。
【００１３】
前記床パンＡの底面の裏面に形成されたボス５にこのように形成されたナット４が設置される。該ボス５は、床パンＡの底面の裏面に下方に向けて平面視六角形状にて突設している。該ボス５の先端面の略中央からボス５の突出基部に向けて断面六角形状のナット収容空間５１が形成されている。このナット収容空間５１は前記ボス嵌合部２の上下方向の長さよりも長く形成されている（即ち、少なくともボス５の突出長さもボス嵌合部２の上下方向の長さよりも長く形成されている）。更に、該ナット収容空間５１の水平方向の大きさにおいても、ボス嵌合部２よりもやや大きく形成されており、前記ボス嵌合部２が内部に収容されるようになっている。
【００１４】
このように形成された床パンＡの裏面に突設されるボス５に前記ナット４が設置されるのであるが、ナット４をボス５に設置するにあたっては、床パンＡを表裏逆にして（即ち、ボス５の先端が上方に臨むような状態にして）ナット４の取付施工がなされる。以下、ボス５の先端側を上方とし、ボス５の基部側を下方として説明する。
【００１５】
ナット４をボス５に設置するにあたっては、床パンＡに突設されたボス５の上方から、前記ナット４のボス嵌合部２を下方に位置させた状態で、該ボス嵌合部２をナット収容空間５１に嵌入する。このとき、ナット４に備える膨出部３の下面がボス５の先端面に当接する前に、ボス５とボス嵌合部２とを接着させる接着剤６をボス５の内壁とボス嵌合部２の側面との隙間に注入する。注入後に該膨出部３の下面をボス５の先端面に当接した状態になるまで挿入する。このとき、ヒレ片８１はボス５の内周面に沿って水平よりも上方に傾斜することになるが、各ヒレ片８１間に形成された切れ目Ｂによって、ヒレ片８１同士が干渉することは無く、各ヒレ片８１の屈曲は容易になされ、ナット４の挿入はスムーズになされる。
【００１６】
このような構成によれば、注入された該接着剤６はヒレ部８によって下方に流れ落ちるのを阻止されて、前記膨出部３とボス５の内周面とボス嵌合部２とヒレ部８とで形成された接着剤充填空間７に充填されることで、接着剤６が該接着剤充填空間７に保持されたままで硬化する。さらに、ヒレ部８がボス５の内壁に沿って上方に傾斜を有しているので、接着剤６が硬化する前に、表裏逆となった床パンＡを更に逆に向けて使用する状態（元の状態）に戻したとしても、ヒレ部８がボス５の内壁に引っかかり、カエリの作用を及ぼすため、ナット４が抜け落ちることがなく、接着剤６が硬化するまでボス５の先端面と膨出部３の下面（即ち、元の状態における膨出部３の上面）との当接状態が維持できる。
【００１７】
さらに、ボス５の内部に形成されたナット収容空間５１が、ボス嵌合部２よりも上下方向に長く形成されているから、ボス５の先端面にナット４に備える膨出部３を当接した状態であってもボス嵌合部２の先端と床パンＡの裏面との間に調整代Ｓとしての隙間が形成される。すなわち、アジャスターボルトを該ナット４に螺合して設置した場合であっても、アジャスターボルトを回動させて、上下方向の床パンＡの設置高さの調整をすることができる。
【００１８】
次に、他の実施形態について図３及び図４に基づいて説明する。なお、本実施形態は図１及び図２に示す実施形態と大部分において同じであるため、同じ部分においては同符号を付して説明を省略し、主に異なる部分について説明する。
【００１９】
本実施形態のナット４は、ナット本体部１の上部を平面視六角形状のボス嵌合部２とし、ナット本体部１のボス嵌合部２以外の部位を外方に向けて膨出する膨出部３とするものである。また、ボス嵌合部２の上部には、外方に向けてヒレ部８が突設されて、これらは一体に形成されている。さらに、上記の実施形態のものと同様に、各ヒレ片８１の間には切れ目Ｂが形成されており、該ヒレ片８１はボス嵌合部２との接続部位８２（即ちヒレ片８１の突出基部）で上下方向に屈曲自在に形成されている。
【００２０】
このようなナット４であっても、前記の実施形態と同様の作用を奏するため、ナット４と床パンＡに備えられたボス５とを強固に固着することができる。
【００２１】
以上、床パンの一例として、浴室ユニットの床パンＡに基づいて本発明を説明したが、本発明の床パンは、浴室ユニットの床パンでなくとも、浴槽用の床パンや洗い場用の床パン等といった、アジャスターボルトによって支持する構造を有するものであれば、本発明を同様に適用できる。また、床パンの材質やナット４の材質は特に限定されず、更にボス５やナット４の断面形状も特に限定されない。
【図面の簡単な説明】
【００２２】
【図１】本発明の一実施形態の床パンを上下逆にした時の要部側断面図である。
【図２】同上のアジャスターボルト用ナットの下方から見た斜視図である。
【図３】他の実施形態の床パンを上下逆にした時の要部側断面図である。
【図４】同上のアジャスターボルト用ナットの下方から見た斜視図である。
【図５】従来例を説明する図であり（ａ）は要部側断面図であり、（ｂ）は分解斜視図である。
【図６】他の従来例を説明する図であり（ａ）は要部側断面図であり、（ｂ）はアジャスターボルト用ナットの上方からの斜視図である。
【符号の説明】
【００２３】
１      ナット本体部
２      ボス嵌合部
３      膨出部
４      ナット
５      ボス
５１    ナット収容空間
６      接着剤
７      接着剤充填空間
８      ヒレ部
８１    ヒレ片
８２    接続部位
Ａ      床パン
Ｃ      雌ねじ部
Ｓ      調整代
【図１】
2009263990.tif 000003
【図２】
2009263990.tif 000004
【図３】
2009263990.tif 000005
【図４】
2009263990.tif 000006
【図５】
2009263990.tif 000007
【図６】
2009263990.tif 000008